(57)【要約】【課題】室内外側から、取外されることがない防犯レンズを提供すること。【解決手段】防犯レンズは、入射窓となる室外側フランジ部１０、外周に設けられた雄ネジ部１１及び内部にレンズ系１２を収容した内筒１と、覗き窓となる前記室内側フランジ部（室内側端部）２０及び内部周面に雌ネジ部２１を備えた外筒２からなる。このような基本構成を備えた防犯レンズにおいて、外筒２の室内側フランジ部２０に設けられたすり割５Ａ，５Ｂが、前記外筒２を螺着方向Ｘに進行させる場合に、その螺着回転方向Ｙのみ機能するように構成されている。【選択図】　　　　図１
2004084197.tif 000002
【特許請求の範囲】
【請求項１】
外周に雄ネジ部が設けられた内筒を、ドアの取付孔に室外側から挿入して、内周に雌ネジ部を設けた外筒と螺着させて、ドアを挟むように取付ける防犯レンズにおいて、
前記外筒の室内側端部に設けられた外筒回転用のすり割は、円状に形成された室内側端部の直径に略沿って形成された治具係合部と、その治具係合部から前記外筒の螺着回転方向とは逆方向に傾斜が付けられたテーパ部からなることを特徴とする防犯レンズ。
【請求項２】
螺着された前記内筒と前記外筒が固着手段を介して固着されたことを特徴とする請求項１に記載の防犯レンズ。
【請求項３】
前記固着手段は、ネジロック剤であることを特徴とする請求項２に記載の防犯レンズ。
【請求項４】
外周に雄ネジ部が設けられた内筒を、ドアの取付孔に室外側から挿入して、内周に雌ネジ部を設けた外筒と螺着させて、ドアを挟むように取付ける防犯レンズにおいて、
前記雌雄ネジ部を螺着すると作用し、且つ、内筒の回転を規制する回止機構を設ける共に、前記ドアの取付孔の内または／および外に、前記回止機構を補強する補強板を設けたことを特徴とする防犯レンズ。
【発明の詳細な説明】
【０００１】
【発明の属する技術分野】
本発明は、室内側から室外の様子を広範囲にわたって観察し得るように、主として玄関ドア等を貫通して取付けるように構成された防犯レンズに関する。
【０００２】
【従来の技術】
出願人は、防犯レンズのトップメーカーとして、防犯レンズの改良を重ねており、特願平１１−１０８２７３号（特開２０００−２９７５８３号公報）において、室外側からの取外しを防止する回止機構を備えた防犯レンズを提案している。
【０００３】
【発明が解決しようとする課題】
このような防犯レンズを製品化するに当たり、出願人は次のような問題点を認識するに至った。
その１つは、ホテル等の客室ドアに取付けられた防犯レンズが、宿泊客等によって客室の室内側から取り外されるという不測の自体が生じたことである。
その２は、万が一、室外側から強力な外力が加えられた場合、前記回止機構が破壊される恐れがあることである。
【０００４】
そこで、本願発明は、上記課題を解決することができる防犯レンズを提供することを目的とする。
【０００５】
【課題を解決するための手段】
この目的を達成する手段として、外周に雄ネジ部が設けられた内筒を、ドアの取付孔に室外側から挿入して、内周に雌ネジ部を設けた外筒と螺着させて、ドアを挟むように取付ける防犯レンズにおいて、前記外筒の室内側端部に設けられた外筒回転用のすり割は、円状に形成された室内側端部の直径に略沿って形成された治具係合部と、その治具係合部から前記外筒の螺着回転方向とは逆方向に傾斜が付けられたテーパ部からなることを特徴とする防犯レンズとした。
ホテル等の宿泊客などが、硬貨等を治具として、螺着回転方向とは逆方向に外筒を回転させようとしても、前記テーパ部により、その治具が機能しない。
【０００６】
上記目的を達成するため、外周に雄ネジ部が設けられた内筒を、ドアの取付孔に室外側から挿入して、内周に雌ネジ部を設けた外筒と螺着させて、ドアを挟むように取付ける防犯レンズにおいて、螺着された前記内筒と前記外筒が固着手段を介して固着されるようにしてもよい。
本願の防犯レンズ自体がドア自体に強固に固着されているわけではない。よって、室外側或いは室内側から前記内筒或いは前記外筒を回すことができても、固着手段により固着された前記内外筒が一体となって空回りすることになり、取外すことはできない。
なお、本発明においては、上記発明のすり割を設けてもよいし、通常のすり割でもよい。
【０００７】
前記固着手段としては、ネジロック剤を用いれば良い（請求項３に記載の発明）
【０００８】
上記目的を達成するため、外周に雄ネジ部が設けられた内筒を、ドアの取付孔に室外側から挿入して、内周に雌ネジ部を設けた外筒と螺着させて、ドアを挟むように取付ける防犯レンズにおいて、前記雌雄ネジ部を螺着すると作用し、且つ、内筒の回転を規制する回止機構を設ける共に、前記ドアの取付孔の内または／および外に、前記回止機構を補強する補強板を設けた。
この補強板により、ドアの取付孔の破壊を防ぐことができる。
前記補強板は、具体的にはドアに固着される飾り座であってもよい。
【０００９】
【発明の実施の形態】
本発明に係る防犯レンズの実施形態を図面に基づいて詳細に説明する。
図１は第１実施形態に係る防犯レンズの分解斜視図、図２は同取付断面図である。
これらの各図及び後述の各図において、同一の構成は同一の符号を付して、詳細な説明を省略する。
【００１０】
前記防犯レンズは、所謂フラッシュドアと呼ばれている２枚板の厚みのあるダブルドア用に取付けるもので、図１に示したように、入射窓となる室外側フランジ部１０、外周に設けられた雄ネジ部１１及び内部にレンズ系１２を収容した内筒１と、覗き窓となる前記室内側フランジ部（室内側端部）２０及び内部周面に雌ネジ部２１を備えた外筒２からなる。
【００１１】
このような基本構成を備えた防犯レンズにおいて、その第１の特徴は、外筒２の室内側フランジ部２０に設けられたすり割５Ａ，５Ｂの構成にある。
前記すり割５Ａ，５Ｂは、前記外筒２を螺着方向Ｘに進行させる場合に、その螺着回転方向Ｙのみ機能するものである。
前記すり割５Ａ，５Ｂは、前記室内側フランジ部２０の円状端部の直径に略沿うように、対に形成されている。そして、それぞれ治具係合部５０Ａ，５０Ｂと、それらの治具係合部５０Ａ，５０Ｂから前記外筒２の螺着回転方向Ｙとは逆方向Ｚに傾斜が付けられたテーパ部５１Ａ，５１Ｂが設けられている。
前記治具係合部５０Ａ，５０Ｂは、例えば、工具６（以下、治具ともいう）を用いた場合に、その回転力が伝達されるように前記室内側フランジ部２０表面を略垂直に切欠いて形成されている。
一方、前記テーパ部５１Ａ，５１Ｂは、前記治具係合部５０Ａ，５０Ｂの深部から徐徐に前記室内側フランジ部２０表面へと浅くなるように切欠かれている。
【００１２】
よって、前記すり割５Ａ，５Ｂは、前記フランジ部２０を水平に配して見た場合、図３（ａ）に示したように（各図において、他方のすり割は、対称に現れるので省略する）、略レ字状に切欠けられているが、これに限定されるものではない。
例えば、図３（ｂ）のように、治具６の形状に合せて、水平状の治具差込部５２Ａ，５２Ｂを設けても良い。
また同図（ｃ）のように、ラウンド状の治具差込部５２Ａ，５２Ｂを設けても良い。特に、このすり割５Ａ，５Ｂの場合には、ラウンドしているので、硬貨等を用いても外筒２が取外され難くなっている。
【００１３】
これらのすり割５Ａ，５Ｂによれば、１０円硬貨等を治具として、前記外筒２の螺着回転方向Ｙとは逆の方向Ｚに、外筒２を回転させようとしても、前記テーパ部５１Ａ，５１Ｂにより治具が滑り、外筒２を容易に取外すことができない。
【００１４】
この防犯レンズの第２の特徴は、内外筒１，２の雌雄ネジ部１１，２１（図１及び図２のＡの範囲）に固着手段として、ネジロック剤を塗布したことである。図２に示したように、前記室内外側フランジ部１０，２０は、室外側ドア板３の取付孔３０、室内側ドア板４の取付孔４０の周辺に圧着されているに過ぎず、固着されているわけではない。
よって、室内側から外筒２を回すことができても、ネジロック剤により固着された内筒１が、同時に空回転することになるので、その外筒２を取外すことができない。
また、同様に室外側から内筒１を回しても、同時に外筒２が回転するので、その内筒１を取外すことができない。
【００１５】
なお、前記レンズ系１２は、対物レンズとしての凹レンズ１２０，１２１と、接眼レンズとしての凸レンズ１２２からなる。これらのレンズにはプラスチックではなく、光学ガラスを用いている。よって、熱に強く防火上も有効であり、また曇り難くなっている。
【００１６】
前記防犯レンズを取付けるには、次の手順による。
塗布面となる雌雄ネジ部１１，２１の油分等を取り除き、少なくとも内筒１の雄ネジ部１１にネジロック剤を塗布する。
この場合、ネジロック剤は、内外筒１，２をドア自体に強固に固定するものではなく、単に一体的に空回りさせるために用いることから、その塗布量は少量でたり、その塗布範囲も雌雄ネジ部１１，２１の全面である必要はない。
次に、ダブルドアの室外側ドア板３の取付孔３０に室外側から前記内筒１を挿入し、一方、室内側ドア板４の取付孔４０に室内側から外筒２を挿入する。
両者の螺着は、所定の治具６を前記すり割５Ａ，５Ｂにセットして、前記室内側フランジ部２０を回転Ｙさせることにより行う。なお、ネジロック剤の塗布により、ねじ込みが難しくなる場合には、レンチ等を用いる。
【００１７】
その他の固着手段として、例えば、前記雌雄ネジ部１１，２１の螺合範囲Ａにおいて、ネジの等級を変化させて、ネジ込みがしぶくなるようにしてもよい。
【００１８】
なお、以上のような構成を、図４の一枚ドア３Ａ用の防犯レンズに応用してもよい。
この場合には、上記実施形態と同様の構成により、同様な作用効果を奏する。
【００１９】
次に、防犯レンズの第３実施形態について説明する。
この防犯レンズの特徴は、前記内外筒１，２の前記雌雄ネジ部１１，１２を螺着すると作用し、且つ、内筒１の回転を規制する回止機構を設ける共に、前記ドア板３の取付孔３０の内側に、前記回止機構を補強する補強板７を設けた点である。
図５に示す回止機構は、前記室外側フランジ部１０のフランジ座部１３の一部分を、月形状に切欠いた被係合部１３０と、一方、この形状に対応させた前記取付孔３０の係合部３１からなる。
同様の構成において、被係合部１３０の厚さが室外側ドア板３の板厚と略同一の場合、内筒１に予想外の外力が加えられ回転させられると、前記取付孔３０が破壊される恐れがある。
そこで、この実施形態では、被係合部１３０をより厚くする（Ｌ１）と共に、室外側ドア板３の裏側に補強板７を固着し、Ｌ１に対応できるＬ２の厚さに構成している。
その結果、外筒１に予想外の外力が加えられても、その外力に耐えられる前記取付孔３０とすることができる。
【００２０】
なお、前記被係合部１３０の形状については、図５に限定されるものではなく、図６のように両サイドを月形状に切欠いたものでもよく、三角形状のもの、４角形状のもの、多角形状のものでもよい。
また、すり割は、上記各実施形態のものでもよい。
【００２１】
この防犯レンズでは、前記ドア板３の取付孔３０に前記座部１３が挿入されると同時に、取付孔３０の係合部３１と、前記内筒１の被係合部１３０が係合し、雄ネジ部１１の回転が規制され、室外側から前記内筒１を取外すことができなくなる。
よって、防犯上の有効性のみならず、防火上も防火戸としての機能を高めることができる構造となっている。また、低コストにて、回止機構を作ることができるし、その取付方法も極めて簡単なものとなっている。
その他の構成については、上記各実施形態と同様にしてもよく、その場合には同様な作用効果を奏する。
【００２２】
図７に示したように、前記室外側ドア板３の室外側に固着した飾り座８を補強板７に代替させたり、重複して取付けてもよい。
前記飾り座８の挿通孔８０に前記係合部３１と略同様の係合部８１を形成し、その飾り座８を室外側ドア板３の室外側に固着する。室外側ドア板３の板厚に飾り座８の板厚がプラスされることにより、前記取付孔３１の強度が補強されることになる。
その他の構成については、上記各実施形態と同様にしてもよく、その場合には同様な作用効果を奏する。
【００２３】
【発明の効果】
請求項１に記載の発明によれば、ホテル等の宿泊客などが、硬貨等を治具として、螺着回転方向とは逆方向に外筒を回転させようとしても、前記テーパ部により、その治具が機能しない。
よって、防犯レンズが室内側から取り外されるという不測の自体が生じることを防止することができる。
【００２４】
請求項２に記載の発明によれば、室外側或いは室内側から前記内筒或いは前記外筒を回すことができても、固着手段により固着された前記内外筒が一体となって空回りすることになり、取外すことはできない。
よって、防犯レンズが室内外側から取り外されるという不測の自体が生じることを防止することができる。
【００２５】
請求項３に記載の発明によれば、前記固着手段としてネジロック剤を用いるので、前記内外筒を容易に、且つ、安価に固着することができる。
【００２６】
請求項４に記載の発明によれば、補強板によりドアの取付孔の破壊を防ぐことができる。
【図面の簡単な説明】
【図１】第１の実施形態に係る防犯レンズの分解斜視図、
【図２】同取付断面図、
【図３】（ａ）　防犯レンズの室内側フランジ部の平面図、（ｂ）　別例に係る同平面図、（ｃ）　別例に係る同平面図、
【図４】第２の実施形態に係る防犯レンズの側面図、
【図５】第３実施形態に係る防犯レンズの分解斜視図、
【図６】同要部説明図、
【図７】別例に係る防犯レンズの分解斜視図。
【符号の説明】
１　内筒
１０　室外側フランジ部　　　　　　　１１　雄ネジ部
１２　レンズ系
１３　座部
１３０　被係合部
１２０，１２１　対物レンズ　　　　　１２２　凹レンズ
２　外筒　　　　　　　　　　　　　　２０　室内側フランジ部
２１　雌ネジ部
３　室外側ドア板　　　　　　　　　　３０　取付孔　　　３１　係合部
４　室内側ドア板　　　　　　　　　　４０　取付孔
３Ａ　ドア板　　　　　　　　　　　　３０Ａ　取付孔
５Ａ，５Ｂ　すり割
５０Ａ，５０Ｂ　治具係合部　　　　　５１Ａ，５１Ｂ　テーパ部
６　工具　　　　　　　　　　　　　　５２Ａ，５２Ｂ　治具差込部
７　補助板
８　飾り座
【図１】
2004084197.tif 000003
【図２】
2004084197.tif 000004
【図３】
2004084197.tif 000005
【図４】
2004084197.tif 000006
【図５】
2004084197.tif 000007
【図６】
2004084197.tif 000008
【図７】
2004084197.tif 000009